(57)【要約】【課題】暗端現象を抑えるために定期的に極性を切り換える際に蛍光管の端部に視認されるチラツキが利用者に不快な印象を与えるため、チラツキ現象が利用者に認識できないようにした照明装置を提供すること。【解決手段】直流点灯回路Ｂで蛍光灯１２を点灯させる、以下の要件を備えることを特徴とする照明装置Ａ。（イ）上記直流点灯回路Ｂが上記蛍光灯１２に印加する電源の極性を転換させる極性転換部１１と、該極性転換部１１を周期的に作動させる制御部１４とを備えること（ロ）上記照明装置Ａは上記蛍光灯１２の電極部近傍を遮蔽する遮蔽部材２０を着脱可能に設けたこと（ハ）該遮蔽部材２０は上記蛍光灯１２の電極部から発生する熱を放出させる放熱部２１を備えたこと【選択図】図１
2007324019.tif 000002
【特許請求の範囲】
【請求項１】
直流点灯回路で蛍光灯を点灯させる、以下の要件を備えることを特徴とする照明装置。
（イ）上記直流点灯回路が上記蛍光灯の陰極と陽極とに印加する電源の極性を転換させる極性転換部と、該極性転換部を周期的に作動させ極性を周期的に転換させる制御部とを備えること
（ロ）上記照明装置は上記蛍光灯の電極部近傍を遮蔽する遮蔽部材を着脱可能に設けたこと
（ハ）上記遮蔽部材には上記蛍光灯の電極部から発生する熱を放出させる放熱部を設けたこと
【請求項２】
前記照明装置は、人体を感知するセンサを備え、前記制御部は該センサの検出結果に基づいて照度を制御する、請求項１記載の照明装置。
【発明の詳細な説明】
【技術分野】
【０００１】
本発明は、照明装置、詳しくは直流点灯回路で蛍光灯を点灯する照明装置に関するものである。
【背景技術】
【０００２】
従来、蛍光灯は電源に交流電源を用いて点灯するのが普通であるが、照度にちらつきが伴うため、蛍光灯を直流で点灯する直流点灯回路が本発明者から提案されている（例えば、特許文献１）。この直流点灯回路は切替スイッチを切り換えることにより極性を切り換えて蛍光灯の電極近傍に発生する暗端現象の発生を抑えることができるようになっている。
【０００３】
しかし、手動で切替スイッチを切り換えることなく極性を切り換えることができる直流点灯回路を備えた面光源装置が本出願人から提案されていた（例えば、特許文献２）。
【特許文献１】特許第３０２９６３２号公報
【特許文献２】特許第２７４８２４８号公報
【発明の開示】
【発明が解決しようとする課題】
【０００４】
本発明が解決しようとする問題点は、上述の面光源装置は、電源スイッチを投入する度に反転するステッピングリレーを利用し、電源スイッチの投入時に極性が変るようにしていたが、極性切替が周期的に行なわれないため暗端現象の発生を完全に抑制することはできなかった。
【０００５】
本発明は、上記問題点を解決し、暗端現象を抑えるために周期的に極性を転換すると、転換時に発生する蛍光管の端部に視認されるチラツキが利用者に不快な印象を与えるため、チラツキ現象が利用者に認識できないようにした照明装置を提供することを課題とする。
【課題を解決するための手段】
【０００６】
前記課題を解決するために本発明に係る照明装置は、直流点灯回路で蛍光灯を点灯させる、以下の要件を備えることを特徴とする。
（イ）上記直流点灯回路が上記蛍光灯の陰極と陽極とに印加する電源の極性を転換させる極性転換部と、該極性転換部を周期的に作動させ極性を周期的に転換させる制御部とを備えること
（ロ）上記照明装置は上記蛍光灯の電極部近傍を遮蔽する遮蔽部材を着脱可能に設けたこと
（ハ）上記遮蔽部材には上記蛍光灯の電極部から発生する熱を放出させる放熱部を設けたこと
また、前記照明装置は、人体を感知するセンサを備え、前記制御部は該センサの検出結果に基づいて照度を制御するようにしても構わない。
【発明の効果】
【０００７】
請求項１の発明によれば、制御部が周期的に極性転換部を作動させ、蛍光灯の陰極と陽極とに印加する電源の極性を切り換えて放電の方向を転換するので、直流放電による暗端現象を抑えることができるとともに、周期的な転極による瞬時的な消灯から蛍光灯の電極部近傍に発生する明暗の変化を遮蔽部材で遮って視認できないようにすることにより快適な照明環境を提供することができる。
【０００８】
請求項２の発明によれば、使用者が照明装置の側から離れる際に、自動的に照度を下げるので一々スイッチで操作する必要がないし、省エネルギーの照明装置を提供することができる。
【発明を実施するための最良の形態】
【０００９】
図１（ａ）（ｂ）は、本発明に係る照明装置Ａの一例の正面図及び側面図を示し、この照明装置Ａは装置本体１の上部に前後に回動可能な支柱２が取り付けられ、この支柱２の上端には上下に回動可能なアーム３の後端が取り付けられ、アーム３の先端には照明部４が取り付けられ、全体としてデスクスタンドとして構成されているものである。
【００１０】
この照明装置は図２のブロック図に示すように、交流直流変換回路１０で蛍光灯を直流点灯するために交流を整流平滑して脈流の少ない直流に変換し、使用される蛍光灯の特性に適合した転極時間（タイミング）を選定し、転極タイミング設定回路１３で設定する。そして、転極動作の順序やタイミングの組み合わせを転極制御回路１４で作り出し、極性転換部（極性転換用スイッチ回路）１１で転極の切替動作を実行させることにより、放電空間の水銀蒸気が陰極側に移動し、陽極近傍の水銀蒸気が減少し、陽極側で発光輝度が次第に減少する暗端現象を解消するようになっている。
【００１１】
さらに、装置本体１の前面に配置された調光器１５を操作して、ランプ電流制御回路１６の入力信号の電圧をリニアに変化させ、交流直流変換回路１０の出力電流の大きさをリニアに変化させることにより蛍光灯１２に印加する電流の大きさを自由に設定することができるので照度を自由に変えることができるようになっている。
【００１２】
また、装置本体１の前面には人体を感知するセンサ（赤外線センサ）１７が配置され、使用者が照明装置の側で作業をしているときには、ランプ電流制御回路１６は調光器１５で設定した照度になるように交流直流変換回路１０の出力電流の大きさを設定しているが、使用者が照明装置の側から離れてセンサ１７が人体を検出できないときは、ランプ電流制御回路１６は交流直流変換回路１０の出力電流を小さくして照度を落とすようになっている。
【００１３】
なお、上記照明装置は暗端現象を回避するために転極制御回路１４が周期的に極性を切り替えているが、その度に一瞬消灯するためにプラグ１８に近い蛍光管１２の端部１２ａが一瞬暗くなってチラツキが発生するが、このチラツキ現象が視覚的に気にならないように蛍光管１２の端部１２ａを遮蔽部材２０で覆い、明暗の変化（チラツキ）が視覚に入らないようにした。
【００１４】
この遮蔽部材２０は照明装置の電源回路１９及び蛍光灯１２の端部１２ａを覆う大きさの板状部材で構成され、図３（ａ）（ｂ）に示すように、中央には放熱部である通気口２１が形成され、裏面には嵌合凹部２２、嵌合軸２３、２４が形成されている。上記通気口２１は放熱を行なう為に外部の空気を流入させるためのもので、この通気口２１により流入する空気が遮蔽部材２０で覆われた内部の温度上昇を抑えるようになっている。この通気口２１は蛍光管１２の端部１２ａが視認できないように、蛍光灯１２のプラグ１８の部分に対応して形成されていればよい。また、嵌合凹部２２には放熱部である金属の放熱板２５が嵌め合わされるようになっており、この放熱板２５にも上記通気口２１に対応した位置に通気口２６が形成されている。
【００１５】
この遮蔽部材２０は、図４（ａ）に示すように、嵌合軸２３を照明部４の嵌合穴２５、嵌合軸２４を照明部４の嵌合穴２６に嵌め合わせ、嵌合軸２４を通してネジ止めすれば、図４（ｂ）に示すように、照明部４に遮蔽部材２０を固定できるようになっている。
【００１６】
上記構成の照明装置Ａによれば、一旦電源を入れると極性転換を周期的に繰り返すので、極性を転換させずに直流点灯を行なった場合に発生する暗端現象を抑えることができるが、極性転換により周期的に消灯が発生することになり、その消灯によるチラツキ現象を遮蔽部材２０で蛍光管１２の端部１２ａを遮蔽して視認できないようにしたので、使用者はチラツキのない快適な照明環境の下で作業や学習を行なうことができる。
【図面の簡単な説明】
【００１７】
【図１】（ａ）（ｂ）は本発明に係る照明装置の一例を説明する正面図及び側面図
【図２】上記照明装置の電気的構成を説明するブロック図
【図３】（ａ）（ｂ）は遮蔽部材の構造を説明する平面側斜視図
【図４】（ａ）（ｂ）は照明部に遮蔽部材を取り付ける状態を示す底面側斜視図
【符号の説明】
【００１８】
４    照明部
１１    極性転換部
１２    蛍光灯
１４    制御部
１７    センサ
２０    遮蔽部材
２１    放熱部
Ａ    照明装置
Ｂ    直流点灯回路
【図１】
2007324019.tif 000003
【図２】
2007324019.tif 000004
【図３】
2007324019.tif 000005
【図４】
2007324019.tif 000006